(57)【要約】【課題】仏に供えるのに相応しく、簡便に掃除や取り扱いが可能な水受け構造と、破損や欠けの生じにくい構造の水鉢を有する墓石を提供する。【解決手段】下台の前面部に密着し、芝台の前部上面に載置された水鉢５を有する墓石において、水鉢５の上面が平面状に形成され、その上面に穴部５ａが形成されている。水鉢５と同種の石材からなり、前記穴部５ａに嵌合される底部６ｂを有する仏用の供え水を注入するための湯呑６が、前記穴部５ｂに底部６ｂを着脱自在に嵌合して備えられる。水鉢の前面５ｙ下部の稜線５ｚ部分に面取り加工が施されており、納骨等のため水鉢を移動させる際、下端部の破損を防止でき、取り扱いが容易となる。【選択図】　図２
2004068372.tif 000002
【特許請求の範囲】
【請求項１】
前面に水鉢を有する墓石において、
前記水鉢の上面が平面状に形成され、その上面に穴部が形成されており、
前記水鉢と同種の石材からなり、前記穴部に嵌合される底部を有する、仏用の供え水を注入するための湯呑を備え、この湯呑が前記穴部に前記底部を着脱自在に嵌合されることを特徴とする墓石。
【請求項２】
前記水鉢の底面と前面とが交叉して形成される稜線部分に面取り加工が施されていることを特徴とする請求項１記載の墓石。
【発明の詳細な説明】
【０００１】
【発明の属する技術分野】
本発明は、墓石の構造に関するものである。
【０００２】
【従来の技術】
従来、例えば図５に示されるように、日本において良く見られる墓石１００として、略直方体形状に切り出された複数の石材を積み重ねたものが知られている。これらの積み重ねられた複数の石材は、上から順番に、棹石２０、上台３０、下台４０，芝台７０、カロート８０等と呼ばれている。墓石のこれらの構成は、その墓石に葬られる故人の宗教や意向、宗旨や地域性などにより様々な形状、大きさ、呼び名について異なったものがある。また、各構成石材の組み合わせについても、ここではカロートを含めて５段のものを示したが、４段や６段のものも知られている。さらに、墓石の前面には、通常、水鉢５０が置かれている。この水鉢５０の上面には、水を入れるための水受け５１が形成されており、この水は、仏教において、穢れを清め、故人の渇きをいやすためのものとされている。また、墓石１００の内部構造は、図６に示されるように、地中部分Ｓに置かれるカロート８０が、４つの石材を用いて四角形の枠を構成され、その枠内部の空間８１は骨壺を埋葬する納骨室として用いられる。墓石の建立後に納骨室に納骨するために、カロート８０の上部にあってグランドレベルＧＬより上方に位置する芝石７０は、中央に納骨開口７１を有し、さらに上部の下台４０には、前面から底面に向かい、前記カロート８０の納骨開口７１に通じる開口部４１を有している。そして、上記の水鉢５０は、下台４０の前面にあって、開口部４１を塞ぐ扉の役割をも有している。
【０００３】
【発明が解決しようとする課題】
しかしながら、上述したような水鉢５０を有する墓石１００においては、水鉢５０の上面に水受け５１があり、ここが汚れた場合掃除がしにくいという問題がある。また、水受け５１の形状が、渇きをいやすための水を入れて仏様に供えるものにしては、犬や猫が水を飲むときに使う食器のようでもあり、少し失礼な感じや違和感が感じられる。また、水鉢５０の設置時や、納骨のため水鉢５０を手前に傾けたり、移動したりするときに、図７に示されるように、水鉢の下端に石材破損による欠損ａや欠損ｂが生じ易いという問題がある。従来は、水鉢５０の下端の角部が欠けないようにするため、又は、芝台７０の表面を傷つけないようにするため、水鉢５０の取り扱い時に、芝台７０の上に雑巾を敷いたりして細心の注意をして、神経を使って作業をしており、それでもなお墓石を傷つけてしまうことがある。
【０００４】
本発明は、上記の課題を解消するものであって、仏に供えるのに相応しく、また、簡便に掃除や取り扱いが可能な水受け構造の水鉢とすると共に、納骨時等の移動に際し、下端部に破損や欠けの生じにくい構造とした水鉢を有し、墓参者に安心感を与えることができる墓石を提供することを目的とする。
【０００５】
【課題を解決するための手段及び発明の効果】
上記の課題を達成するために、請求項１の発明は、前面に水鉢を有する墓石において、前記水鉢の上面が平面状に形成され、その上面に穴部が形成されており、前記水鉢と同種の石材からなり、前記穴部に嵌合される底部を有する、仏用の供え水を注入するための湯呑を備え、この湯呑が前記穴部に前記底部を着脱自在に嵌合されるものである。
【０００６】
上記構成の墓石においては、水鉢の上面が平面状に構成されているので、雨水等が溜まって汚れることがなく、また、水鉢の上面に形成した穴部に、仏用の湯呑の底部を着脱自在に嵌合して、湯呑を備えるようにしたので、仏に供えるのに相応しく、また、簡便に掃除や取り扱いが可能な水受け構造を有する水鉢となる。また、湯呑の底部を水鉢に開けた穴部に嵌合して備えることとしたので、野良猫やカラス等のいたずらにより湯呑が倒されるのを防ぐことができる。また、その湯呑を水鉢と同種の石材（共石）から形成することにしたので、陶器製の湯呑等と異なり、墓石の中にあっても、全体に一体感のある墓石となる。
【０００７】
請求項２の発明は、請求項１記載の墓石において、前記水鉢の底面と前面とが交叉して形成される稜線部分に面取り加工が施されているものである。この構成の墓石においては、納骨等のため水鉢を移動させる際、水鉢を手前に傾けた場合の回転の支点となって集中荷重がかかり易く、また、強度的に最も欠けやすい箇所である、水鉢の底面と前面とが交叉した稜線部分に、面取り加工が施されているので、水鉢の取り扱い時に下端部の破損を防止でき、水鉢の取り扱い作業が容易となる。
【０００８】
【発明の実施の形態】
以下、本発明の一実施形態に係る墓石について、図１乃至図４を参照して説明する。図面中の共通する部材には同一符号を付して重複説明を省略する。墓石１は、図１に示されるように、略四角形の石材が積み重ねられて構成され、各石材は、上から順番にそれぞれえ棹石２、上台３、下台４，芝台７、カロート８等と呼ばれるものである。また、下台４の前面部には、下台４に密着し、かつ、芝台７の前上面に載置された水鉢５があり、その水鉢５の上面には湯呑６が備えられている。このような墓石１の内部構造は、前述した図６と同じであり、地中部分に置かれるカロート８の内部が骨壺を埋葬する納骨室として構成され、カロート８の上部であってグランドレベルＧＬより上部にある芝石７は中央に納骨用の開口を有し、さらに下台４は前面から底面に向かう前記カロート８の納骨用の開口に通じる開口部を有している。また、水鉢５は、下台４の前面にあって、開口部を塞ぐ扉の役割をしている。
【０００９】
上記の水鉢５は、図２（ａ）に示されるように、手前上面が平面に、また奥側上面が凸面になった２段構造であり、奥側の上面中央には穴部５ａが形成されている。また、図２（ｂ）に示される湯呑６は、水鉢と同種の石材を用いて軸対称な形状に形成され、その胴部６ａの内部には水受け用の凹部６ｃが、また胴部６ａの下には胴部６ａよりも半径の小さい円柱状の底部６ｂが形成されている。そして、この湯呑６は、図２（ｃ）に示されるように、底部６ｂを水鉢５の穴部５ａに着脱自在に嵌合して、備え付けられる。この穴部５ａと底部６ｂとの嵌合部分を十分長くすることで、野良猫やカラス等のいたずらにより湯呑が倒されるのを防ぐことができる。また、水鉢５の前面下部には、図２（ａ）（ｂ）に示されるように、水鉢５の底面５ｘと前面５ｙとが交叉して形成される稜線５ｚ部分において、矢印Ｒで示されるように面取り加工が施されている。このように面取り加工が施されることにより、図２（ｄ）に示されるように、水鉢５を手前に傾けるときに稜線５ｚ部分が回転の支点となる場合であっても、この部分に欠損が生じにくい構造が実現される。
【００１０】
上述した、水受けとして湯呑を用いることによる水鉢の清浄化や、水鉢の移動時における作業性に加え、墓石の外見上の優しさは、墓参者に安心感や安らぎ感を与える効果がある。このような観点から、図３に示されるように、４つの石材７ａ，７ｂ，７ｃ，７ｄから構成される芝台７のうち、芝台前石７ｄの上部左右には、曲線Ｍ，Ｍに沿って段差Ｂ，Ｂが形成されている。この芝台前石７ｄは、前出の図１に示されるように、墓石１の前面に露出しており、その左右隅部は、通常、蝋燭立てが置かれる場所であるが、段差Ｂ，Ｂにより蝋燭立てを置く場所として明確に位置が指定され、蝋燭立ての位置が固定される。また、水鉢の両側には、通常、花立てが置かれる。そこで、これらが所定の位置に置かれた場合、中央から、棹石、花立て、蝋燭立ての順に八の字のように外へ開いた形に配置されることになり、墓地全体として狭苦しい印象を与えることなく、小さな墓地でも大きく見せることができる。そして、段差Ｂ，Ｂを形成する曲線Ｍ，Ｍによって、角張った冷たい石にほっとするような優しさが与えられ、墓参者には安らぎ感が与えられる。
【００１１】
また、本墓石には、外部からは見えないところであるが、図４（ａ）（ｂ）に示されるように、カロート８の内部に、例えば仏像を安置するための、凹部Ｄが設けられている。カロート８は、４つの石材８ａ，８ｂ，８ｃ，８ｄを組み合わせて四角形を構成してできた空間Ｃに骨壺等を納めて納骨するためのものである。カロート８の後石石材８ａのカロート８内面側に設けられた貫通しない穴である凹部Ｄは、墓地所有者の宗派に係る本尊の石仏を安置するための「仏像安置穴」とすることができる。このように、仏像安置穴に安置された本尊の前に遺骨（魄）を安置することにより、死者が本尊仏に導かれてあの世で成仏することができると確信することができ、墓参者の安心感となる。また、魂魄はそれぞれ仏壇と墓地とで供養するものとされるが、魂を祀る仏壇には本尊があるのに、魄を祀る墓地には本尊がないという矛盾を解消することができる。また、石材表面上に直接描かれた壁画のようなものでは、本尊が、石材に描かれたその本尊に固定されてしまうことになるが、宗旨替えをしたような場合でも、安置された石仏であれば、容易に取り替えることが可能である。
【００１２】
なお、本発明は、上記構成に限られることなく種々の変形が可能である。例えば、湯呑の形状は、軸対称でなく異形のものでもよく、また、水鉢の上部は２段構造には限られず、３段又は１段のみのものでもよく、さらに、湯呑を設置する場所及び湯呑の個数についても、水鉢の中央に１つだけに限定されるものではない。また、水鉢の下部における面取り加工部分は、水鉢の底面と前面とが交叉して形成される稜線部分だけに限らず、水鉢の側面と前記稜線が交わる左右の３面角部においても面取り加工をすることができる。この場合、この３面角部に丸みを持たせることにより、水鉢を左右に振りながら前方に回転移動する際の角部の欠損防止に有効である。上記以外の角部についても、施主の要求や必要に応じて、水鉢の角部面取りを行えばよい。
【図面の簡単な説明】
【図１】本発明の一実施形態による墓石の斜視図。
【図２】（ａ）は同墓石における水鉢の斜視図、（ｂ）は同墓石における湯呑の斜視図、（ｃ）は同水鉢に同湯呑を備える様子を説明する一部断面を含む側面図、（ｄ）同水鉢を前方に傾ける場合を示す側面図。
【図３】同墓石における芝台の斜視図。
【図４】（ａ）は同墓石のカロートの斜視図、（ｂ）は同カロートの後石の仏像安置穴を説明する斜視図。
【図５】従来の墓石の斜視図。
【図６】従来の水鉢の斜視図。
【図７】従来、及び本発明の適用される墓石の内部構造を示す一部断面側面図。
【符号の説明】
１　墓石
２　棹石
３　上台
４　下台
５　水鉢
６　湯呑
７　芝台
８　カロート
５ａ　穴部
６ｂ　底部
【図１】
2004068372.tif 000003
【図２】
2004068372.tif 000004
【図３】
2004068372.tif 000005
【図４】
2004068372.tif 000006
【図５】
2004068372.tif 000007
【図６】
2004068372.tif 000008
【図７】
2004068372.tif 000009